(57)【要約】【課題】各種電子機器のミュートオン状態およびミュートオフ状態の制御を確実に行えるようにする。【解決手段】ミュート機能を有する全ての電子機器に対応する複数種のミュート信号のコードをミュート信号データとして記憶する記憶部１１と、この記憶部１１に記憶されている複数種のミュート信号のデータに基づき生成されたミュート信号を送信するリモコン用ＬＥＤ駆動部１２およびリモコン用ＬＥＤ１３と、周囲の音を検出する音レベル検出部７とを備え、ミュート制御部１０は、電子機器をミュートオン状態にするためにリモコン用ＬＥＤ１３よりミュート信号を送信したときに音レベル検出部７において音が検出された場合、および電子機器をミュートオフ状態にするためにリモコン用ＬＥＤ１３よりミュート信号を送信したときに音レベル検出部７において音が検出されなかった場合には、リモコン用ＬＥＤ１３よりミュート信号を再び送信する。【選択図】図１
2008131288.tif 000002
【特許請求の範囲】
【請求項１】
ミュート機能を有する電子機器に対してミュート信号を送信するリモコンミュート機能付き電話機であって、
ミュート機能を有する電子機器に対応するミュート信号のデータを記憶する記憶手段と、
周囲の音を検出する音検出手段と、
呼出信号を検出する着信検出手段と、
前記電子機器に対して前記ミュート信号の送信を制御する制御手段とを備え、
前記制御手段は、前記着信検出手段から着信検出信号を受け取ると、前記記憶手段に記憶されているミュート信号を読み出して送信し、この後、前記音検出手段において音が検出された場合には、前記記憶手段に記憶されているミュート信号を読み出して再度送信することを特徴とするリモコンミュート機能付き電話機。
【請求項２】
前記制御手段は、フックスイッチのオンフックを示す信号を受け取ると、前記記憶手段に記憶されているミュート信号を読み出して送信し、この後、前記音検出手段において音が検出されなかった場合には、前記記憶手段に記憶されているミュート信号を読み出して再度送信することを特徴とする請求項１に記載のリモコンミュート機能付き電話機。
【請求項３】
前記音検出手段が通話用のマイクロフォンである請求項１または請求項２に記載のリモコンミュート機能付き電話機。
【発明の詳細な説明】
【技術分野】
【０００１】
本発明は、リモコン操作により制御可能なミュート機能を有するテレビや音響機器等へのミュート信号を送信する機能を備えたリモコンミュート機能付き電話機に関する。
【背景技術】
【０００２】
一般に、テレビや音響機器は、チャンネル切り換えや音量調節といった操作をリモコン送信機（光リモコン）を用いて行えるようになっている。このようなテレビや音響機器は、リモコン送信機から出力されたリモコン信号（光信号）を受信するための受信手段を備えている。
【０００３】
また、従来の電話機の一例として、特許文献１に開示されているリモコンミュート機能付き電話機がある。このリモコンミュート機能付き電話機は、ミュートオン信号のデータを記憶する記憶部と、ミュート制御部とを備えており、ミュート制御部は、着信を検出したときに記憶部に記憶されているミュートオン信号のデータを読み出して光信号に変換しリモコン用ＬＥＤ（ｌｉｇｈｔ  ｅｍｉｔｔｉｎｇ  ｄｉｏｄｅ）から送信する制御と、フックスイッチのオフフックを検出したときにリモコン用ＬＥＤからの光信号の送信を停止する制御とを行うようになっている。これにより、テレビや音響機器等から大きな音声や音楽等が出力されているときに電話がかかってきた場合、リモコン用ＬＥＤからテレビや音響機器へ光信号を出力して、通話開始前にテレビや音響機器等を自動的にミュート状態とするようになっている。
【特許文献１】特開平５−３０８６８１号公報
【発明の開示】
【発明が解決しようとする課題】
【０００４】
しかしながら、従来のリモコンミュート機能付き電話機においては、電話機から被制御機器（例えば、テレビや音響機器等）へミュートオン信号を送信する際に、ミュートの確認を行っていない。通常、ミュートオン信号であるリモコン信号は、赤外線を使用しており、指向性が強いため、ミュートオン信号を送信しても被制御機器が必ず受信するとは限らず、１回のミュートオン信号の送信では、ミュート動作が行えない可能性があるといった問題があった。
【０００５】
また、一般的に、テレビや音響機器のミュート機能は、ミュートオン信号を受信する毎にミュートＯＮ（オン）、ＯＦＦ（オフ）が切り替わるようになっているため、従来のリモコンミュート機能付き電話機のように複数回ミュートオン信号を送ることではミュートを確実に実現することはできないといった問題もあった。
【０００６】
本発明はかかる問題点を解決すべく創案されたもので、その目的は、テレビや音響機器等といった各種電子機器のミュートオン状態・ミュートオフ状態の制御を確実に行うことができるリモコンミュート機能付き電話機およびこの電話機を用いたミュート確認方法を提供することにある。
【課題を解決するための手段】
【０００７】
上記課題を解決するため、本発明のリモコンミュート機能付き電話機は、ミュート機能を有する電子機器に対してミュート信号を送信するリモコンミュート機能付き電話機であって、ミュート機能を有する電子機器に対応するミュート信号のデータを記憶する記憶手段と、周囲の音を検出する音検出手段と、呼出信号を検出する着信検出手段と、前記電子機器に対して前記ミュート信号の送信を制御する制御手段とを備え、前記制御手段は、前記着信検出手段から着信検出信号を受け取ると、前記記憶手段に記憶されているミュート信号を読み出して送信し、この後、前記音検出手段において音が検出された場合には、前記記憶手段に記憶されているミュート信号を読み出して再度送信するように構成したものである。
【０００８】
すなわち、電子機器をミュートオン状態にするためにミュート信号を出力したときとき、音検出手段によって周辺の音を収集して、電子機器がミュートオン状態になっているか否かを確認する構成としている。これにより、電話がかかってきたとき、動作中の電子機器を確実にミュートオン状態にすることができる。
【０００９】
また、本発明によれば、前記制御手段は、フックスイッチのオンフックを示す信号を受け取ると、前記記憶手段に記憶されているミュート信号を読み出して送信し、この後、前記音検出手段において音が検出されなかった場合には、前記記憶手段に記憶されているミュート信号を再度読み出して送信する構成としている。
【００１０】
すなわち、通話が終了する等して送受話器がオンフック状態になったとき、音検出手段によって電話機周辺の音を収集して、電子機器がミュートオフ状態になっているか否かを確認する構成としている。これにより、通話を終了したとき、ミュートオン状態であった電子機器を確実にミュートオフ状態にすることができる。
【００１１】
なお、前記音検出手段として通話用のマイクロフォンを利用することで、本体を構成する部品点数を少なくすることが可能となる。
【発明の効果】
【００１２】
本発明によれば、電子機器をミュートオン状態にする光信号を出力したときに、音検出手段によって電話機周辺の音を収集して、電子機器がミュートオン状態になっているか否かを確認するとともに、通話が終了する等して電話機のフックがオンフック状態になったとき、音検出手段によって電話機周辺の音を収集して、電子機器がミュートオフ状態になっているか否かを確認することができるので、電子機器のミュートオン状態およびミュートオフ状態の制御を確実に行うことができる。
【発明を実施するための最良の形態】
【００１３】
以下、本発明のリモコンミュート機能付き電話機の実施形態について、図面を参照して説明する。
【００１４】
図１は、本実施形態のリモコンミュート機能付き電話機の電気的構成を示すブロック図である。
【００１５】
本実施形態のリモコンミュート機能付き電話機は、以下のような電気的構成を有している。
【００１６】
すなわち、電話回線１には、フックスイッチ２を介して音声信号などの授受を行う通話回路３が接続されており、通話回路３には、マイクとスピーカーとを内蔵した送受話機４が双方向に接続されている。
【００１７】
また、電話回線１には、相手側端末から送られてくる呼出信号を検出する着信検出部５が接続されており、着信検出部５の出力は、電話機全体の動作制御を行う電話制御部６に導かれている。
【００１８】
また、電話制御部６には、フックスイッチ２の出力が導かれているとともに、通話回路３が双方向に接続されており、電話制御部６の一方の出力６ａは、リンガ駆動部９を介して内臓スピーカー８に接続されている。また、電話制御部６の他方の出力６ｂは、ミュート制御部１０に導かれている。
【００１９】
電話制御部６は、着信検出部５からの着信信号を受けてリンガ駆動部９を制御し、スピーカー８から呼出音を送出させるとともに、フックスイッチ２からのオフフックを示す信号を受けてリンガ駆動部９の駆動を停止するようになっている。すなわち、リンガ駆動部９は、駆動状態のときにはスピーカー８から呼出音を出力させ、駆動状態から駆動停止状態に切り替わったときにはスピーカー８から出力されていた呼出音を停止させるものである。また、電話制御部６は、着信検出部５からの着信検出信号をミュート制御部１０に送出するとともに、フックスイッチ２からのオフフックを示す信号およびオンフックを示す信号をミュート制御部１０に送出するようになっている。
【００２０】
ミュート制御部１０は、本電話機のミュート動作を制御するものであり、ミュート制御部１０と記憶部１１とは双方向の接続となっている。また、ミュート制御部１０と音レベル検出部７も双方向の接続となっている。
【００２１】
さらに、ミュート制御部１０の出力は、リモコン用ＬＥＤ駆動部１２に導かれており、リモコン用ＬＥＤ駆動部１２の出力は、リモコン用ＬＥＤ１３に導かれている。
【００２２】
記憶部１１は、ＲＯＭ（Ｒｅａｄ  Ｏｎｌｙ  Ｍｅｍｏｒｙ）またはＲＡＭ（Ｒａｎｄｏｍ  Ａｃｃｅｓｓ  Ｍｅｍｏｒｙ）等で構成されており、現在市場に供給されているミュート機能を有する全電子機器のミュート信号のコードをミュート信号データとして記憶している。一般に、ミュート信号のコードは、各メーカーの各商品分類別に統一されており、対象となる電子機器（被制御機器）のミュート信号のコードはある程度限られている。
【００２３】
ミュート制御部１０は、記憶部１１に記憶されているミュート信号のデータ（ミュート信号のコード）に基づいてリモコン用ＬＥＤ駆動部１２を駆動させるものであり、リモコン用ＬＥＤ駆動部１２は、ミュート制御部１０による駆動に基づいてリモコン用ＬＥＤ１３を点滅させて、リモコン用ＬＥＤ１３からミュート信号を光信号として出力させるものである。
【００２４】
音レベル検出部７は、ミュート状況確認のために音レベル検出を行い、結果をミュート制御部１０に通知するものであり、好ましくは、送受話機４内蔵のマイクを利用して音レベルを検出する。音レベル検出部７は、内部に予め設定されている閾値と、マイクを通して検出した音のレベルとを比較することでミュート状況の確認を行う。
【００２５】
次に、上記構成のリモコンミュート機能付き電話機を用いたミュート制御処理について、図２に示すフローチャートを参照して説明する。
【００２６】
電話回線１を介して相手側端末から呼出信号が送られてくると（ステップＳ１）、この呼出信号は着信検出部５によって検出され、着信検出部５から電話制御部６に着信検出信号が入力される（ステップＳ２）。
【００２７】
電話制御部６は、この着信検出信号を受けてリンガ駆動部９を駆動し、スピーカー８から呼び出し音を出力させるとともに、この着信検出信号をミュート制御部１０に送出する（ステップＳ３）。
【００２８】
ミュート制御部１０は、この着信検出信号を受けて記憶部１１に記憶されている全てのミュート信号のデータを読み出し、この読み出したデータに基づいてミュート信号を作成する（ステップＳ４）。そして、この作成したミュート信号に基づき、リモコン用ＬＥＤ駆動部１２を駆動して、リモコン用ＬＥＤ１３を点滅制御し、リモコン用ＬＥＤ１３から周辺の被制御機器（例えば、テレビ等）へ、複数種のミュート信号を光信号として順次送信する（ステップＳ５）。なお、この複数種のミュート信号のうちのいずれかのミュート信号は、被制御機器をミュート状態に切り換え得る信号であるものとする。
【００２９】
ミュート信号送信後、ミュート制御部１０は、音レベル検出部７にミュートＯＮ確認を要求する（ステップＳ６）。
【００３０】
要求を受けた音レベル検出部７は、送受話機４からの音レベルを検出し、閾値との比較によるミュートＯＮ検出結果をミュート制御部１０に通知する。
【００３１】
ミュート制御部１０は、ミュートＯＮ検出結果よりミュートＯＮが確認できた場合（ステップＳ７での判断結果がＹＥＳである場合）には、ミュート処理を終了する（ステップＳ８）。一方、ミュートＯＮ検出結果よりミュートＯＮが確認できなかった場合（ステップＳ７での判断結果がＮＯである場合）には、リモコン用ＬＥＤ駆動部１２を駆動してリモコン用ＬＥＤ１３からミュート信号を再度送信して、ミュート処理を行う（ステップＳ４およびステップＳ５）。そして、ステップＳ５におけるミュート信号送信後、ステップＳ６を実施して音レベル検出部７にミュートＯＮ確認を要求する。
【００３２】
ミュート制御部１０は、ミュートＯＮが確認されるまで（ステップＳ７での判断結果がＹＥＳになるまで）、ミュート信号送信（ステップＳ４およびステップＳ５）とミュートＯＮ確認（ステップＳ６）とを繰り返す。
【００３３】
これにより、テレビ等といったミュート機能を有する電子機器が、リモコンミュート機能付き電話機の設置されている部屋と同じ部屋に設置されており、かつ、動作中である場合には、リモコンミュート機能付き電話機から電子機器のミュート信号を送信した後に、音レベル検出によるミュート確認を行うことができるので、動作中の電子機器を確実にミュート状態にすることができる。
【００３４】
この後、スピーカー８から出力される呼出音に応答して、リモコンミュート機能付き電話機の使用者が送受話機４を取り上げると、フックスイッチ２がオフフックされ、通話回路３と電話回線１とが接続されて通話可能状態となるとともに、このフックスイッチ２のオフフックを示す信号は、電話制御部６に送信される（ステップＳ９）。
【００３５】
電話制御部６は、このオフフックを示す信号を受けると、リンガ駆動部９の駆動を停止する（ステップＳ１０）。これにより、スピーカー８から出力されていた呼出音が停止する（ステップＳ１１）。
【００３６】
この後、通話を終了した使用者が送受話機４をリモコンミュート機能付き電話機本体に置いてオンフックすると、電話回線１と通話回線３との接続が遮断され、回線が開放されるとともに、フックスイッチ２のオンフックを示す信号は、電話制御部６を介してミュート制御部１０に送出される（ステップＳ１２）。
【００３７】
ミュート制御部１０は、このオンフックを示す信号を受けて記憶部１１に記憶されているミュート信号のデータを読み出し、この読み出したデータに基づいてミュート信号を作成する（ステップＳ１３）。そして、この作成したミュート信号に基づき、リモコン用ＬＥＤ駆動部１２を駆動してリモコン用ＬＥＤ１３を点滅制御することにより、各ミュート信号を順次送信する（ステップＳ１４）。
【００３８】
ミュート信号送信後、ミュート制御部１０は、音レベル検出部７にミュートＯＦＦ確認を要求する（ステップＳ１５）。
【００３９】
要求を受けた音レベル検出部７は、送受話機４からの音レベルを検出し、ミュートＯＦＦ検出結果をミュート制御部１０に通知する。
【００４０】
ミュート制御部１０は、音レベル検出結果よりミュートＯＦＦの確認ができた場合（ステップＳ１６での判断結果がＹＥＳである場合）には、ミュート処理を終了する（ステップＳ１７）。一方、ミュートＯＦＦの確認ができなかった場合（ステップＳ１６での判断結果がＮＯである場合）には、リモコン用ＬＥＤ駆動部１２を駆動してリモコン用ＬＥＤ１３からミュート信号を送信し（ステップＳ１３およびステップＳ１４）、音レベル検出部７にミュートＯＦＦ確認を要求する（ステップＳ１５）。
【００４１】
ミュート制御部１０は、ミュートＯＦＦが確認されるまで（ステップＳ１６での判断結果がＹＥＳになるまで）、ミュート信号送信（ステップＳ１３およびステップＳ１４）と、ミュートＯＦＦ確認（ステップＳ１５）とを繰り返す。
【００４２】
これにより、ミュート状態にあった電子機器はスピーカーから音声または音楽等を再び出力することになる。
【００４３】
なお、上記実施形態では、オンフックを示す信号を受けたとき、ミュート制御部１０は、ミュートＯＦＦが確認されるまで、ミュート信号の送信と、ミュートＯＦＦ確認とを繰り返す構成としているが、元々電子機器がＯＦＦ状態であった場合、若しくは通話中に電子機器がＯＦＦされた場合には、ステップＳ１３〜ステップＳ１６の処理をいつまでも繰り返すことになる。従って、このような状況を回避するためには、例えばステップＳ１６での判断を予め設定されたｎ回（例えば５回等）行っても、電子機器がミュートＯＦＦ状態とならない場合には、その時点でミュート処理を終了するようにしておけばよい。これにより、ミュート信号の無駄な送信を防止することができる。
【００４４】
本実施形態によれば、ミュート信号送信後、音レベル検出によるミュートＯＮ,ＯＦＦの確認を行うことができるため、ミュート処理を確実に行うことができる。
【産業上の利用可能性】
【００４５】
本発明のリモコンミュート機能付き電話機は、電話機とミュート機能を有する電子機器とが同じ部屋に設置されている場合に有効に活用できる。
【図面の簡単な説明】
【００４６】
【図１】本発明のリモコンミュート機能付き電話機の電気的構成を示すブロック図である。
【図２】本発明のリモコンミュート機能付き電話機によるミュート制御処理を示すフローチャートである。
【符号の説明】
【００４７】
１    電話回線
２    フックスイッチ
３    通話回路
４    送受話機
５    着信検出部
６    電話制御部
７    音レベル検出部
８    スピーカー
９    リンガ駆動部
１０  ミュート制御部
１１  記憶部
１２  リモコン用ＬＥＤ駆動部
１３  リモコン用ＬＥＤ
【図１】
2008131288.tif 000003
【図２】
2008131288.tif 000004